(57)【要約】【課題】  重ね書き後に筆跡を消去する際にも、一度にすべての筆跡が消色することなく、筆記体毎に筆跡を消色することができる、幅広い使用用途に対応可能で利便性に優れた複式筆記具を提供する。【解決手段】  二種類以上の筆記体３を用いた複式筆記具１であって、前記筆記体３のうち少なくとも二種類に加熱により消色状態となる熱変色性インキ組成物３４が用いられるとともに、各熱変色性インキ組成物の消色温度が異なる。各熱変色性インキ組成物の消色温度（ＴＡ＜ＴＢ）が、消色温度差５℃以上である。【選択図】  図２
2020100042.tif 000002
【特許請求の範囲】
【請求項１】
二種類以上の筆記体を用いた複式筆記具であって、前記筆記体のうち少なくとも二種類に加熱により消色状態となる熱変色性インキ組成物が用いられるとともに、各熱変色性インキ組成物の消色温度が異なることを特徴とする複式筆記具。
【請求項２】
各熱変色性インキ組成物の消色温度（ＴＡ＜ＴＢ）が、消色温度差５℃以上であることを特徴とする請求項１記載の複式筆記具。
【請求項３】
前記熱変色性インキ組成物が、（イ）電子供与性呈色性有機化合物、（ロ）電子受容性化合物、（ハ）前記（イ）、（ロ）の呈色反応をコントロールする反応媒体とからなる可逆熱変色性組成物をマイクロカプセルに内包させた可逆熱変色性顔料を用いてなることを特徴とする請求項１又は２に記載の複式筆記具。
【請求項４】
前記筆記体が、消色温度ＴＡであるインキを用いたマーキングペンと、消色温度ＴＢであるインキを用いたボールペンであることを特徴とする請求項２記載の複式筆記具。
【請求項５】
前記筆記体が、消色温度ＴＡであるインキを用いたボールペンＡと、消色温度ＴＢであるインキを用いたボールペンＢであり、ボールペンＡのボール径ＤＡとボールペンＢのボール径ＤＢが、ＤＡ＜ＤＢであることを特徴とする請求項２記載の複式筆記具。
【請求項６】
各筆記体に内蔵されるインキの消色温度が高温（ＴＢ）か低温（ＴＡ）かを判断するための識別手段を設けてなる請求項５記載の複式筆記具。
【請求項７】
前記筆記体による筆跡を摩擦熱で変色する摩擦部材を備えてなる請求項１乃至６のいずれかに記載の複式筆記具。
【請求項８】
前記摩擦部材が二種類からなり、紙面との摩擦により、一方がＴＡからＴＢの範囲の摩擦熱を発し、他方がＴＢ以上の摩擦熱を発するものである請求項７記載の複式筆記具。
【発明の詳細な説明】
【技術分野】
【０００１】
本発明は複式筆記具に関する。更に詳細には、加熱により消色する筆跡を形成する複式筆記具に関する。
【背景技術】
【０００２】
現在、加熱により消色するインキを内蔵した筆記具が多数販売されており、レフィル形態の筆記体をインキ色違いで複数本収容した多芯筆記具としても市販されている。
前記多芯筆記具は、同一ボール径のペン先にそれぞれ色相の異なるインキを内蔵したボールペンレフィルを複数本収容するため、携帯性及び利便性に優れたものである（例えば、特許文献１〜３参照）。
【先行技術文献】
【特許文献】
【０００３】
【特許文献１】特開２０１３−４９１９２号公報
【特許文献２】特開２０１８−８９９４７号公報
【特許文献３】特開２０１８−８９７８２号公報
【発明の概要】
【発明が解決しようとする課題】
【０００４】
前記多芯筆記具は筆記体の出没機構に違いがあるものの、いずれも一本の筆記具によって、所望の色相インキを内蔵するレフィルを選択して筆記することで複数色の筆跡が形成できるとともに、付属の摩擦体を用いて各筆跡を擦過することで、いずれの筆跡も同じ温度帯で消色される。
そのため、重ね書き用途に使用した際には、いずれかの筆跡を消去したい場合であっても、いずれの筆跡も残すことができず、一斉に消色されてしまうものであった。
【０００５】
本発明は、重ね書き後に筆跡を消去する際にも、一度にすべての筆跡が消色することなく、筆記体毎に筆跡を消色することができる、幅広い使用用途に対応可能で利便性に優れた複式筆記具を提供するものである。
【課題を解決するための手段】
【０００６】
本発明は、二種類以上の筆記体を用いた複式筆記具であって、前記筆記体のうち少なくとも二種類に加熱により消色状態となる熱変色性インキ組成物が用いられるとともに、各熱変色性インキ組成物の消色温度が異なることを要件とする。
更に、各熱変色性インキ組成物の消色温度（ＴＡ＜ＴＢ）が、消色温度差５℃以上であること、前記熱変色性インキ組成物が、（イ）電子供与性呈色性有機化合物、（ロ）電子受容性化合物、（ハ）前記（イ）、（ロ）の呈色反応をコントロールする反応媒体とからなる可逆熱変色性組成物をマイクロカプセルに内包させた可逆熱変色性顔料を用いてなることを要件とする。
更に、前記筆記体が、消色温度ＴＡであるインキを用いたマーキングペンと、消色温度ＴＢであるインキを用いたボールペンであることを要件とする。
更に、前記筆記体が、消色温度ＴＡであるインキを用いたボールペンＡと、消色温度ＴＢであるインキを用いたボールペンＢであり、ボールペンＡのボール径ＤＡとボールペンＢのボール径ＤＢが、ＤＡ＜ＤＢであること、各筆記体に内蔵されるインキの消色温度の高温（ＴＢ）か低温（ＴＡ）かを判断するための識別手段を設けてなることを要件とする。
更には、前記筆記体による筆跡を摩擦熱で変色する摩擦部材を備えてなること、前記摩擦部材が二種類からなり、紙面との摩擦により、一方がＴＡからＴＢの範囲の摩擦熱を発し、他方がＴＢ以上の摩擦熱を発するものであることを要件とする。
【発明の効果】
【０００７】
本発明により、一本の筆記具を用いて、消色温度の異なるインキを内蔵した筆記体によって重ね書きができるため、重ね書き後に筆跡を消去する際にも、一度にすべての筆跡が消色することなく、筆記体毎に筆跡を消色することが可能となる。そのため、幅広い使用用途に対応可能で利便性に優れた複式筆記具が提供できるものとなる。
【図面の簡単な説明】
【０００８】
【図１】可逆熱変色性組成物の色濃度−温度曲線におけるヒステリシス特性を説明するグラフである。
【図２】本発明の複式筆記具の実施例を示す縦断面説明図である。
【図３】本発明の複式筆記具の他の実施例を示す縦断面説明図である。
【図４】本発明の複式筆記具の他の実施例を示す縦断面説明図である。
【発明を実施するための形態】
【０００９】
前記筆記体に収容される熱変色性インキ組成物としては、従来汎用の加熱により消色或いは変色可能なインキがいずれも適用できる。尚、インキ中に配合される着色剤としては、（イ）電子供与性呈色性有機化合物、（ロ）電子受容性化合物、及び（ハ）前記両者の呈色反応の生起温度を決める反応媒体の必須三成分を少なくとも含む可逆熱変色性組成物を用いたものが好適であり、特に、可逆熱変色性組成物をマイクロカプセル中に内包させてなるマイクロカプセル顔料が有効である。
【００１０】
前記可逆熱変色性組成物としては、特公昭５１−４４７０６号公報、特公昭５１−４４７０７号公報、特公平１−２９３９８号公報等に記載された、所定の温度（変色点）を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性（ΔＨが１℃以上７℃以下）を有する可逆熱変色性組成物が例示でき、これをマイクロカプセル中に内包させた加熱消色型のマイクロカプセル顔料が適用できる。
【００１１】
更に前記可逆熱変色性組成物として、特公平４−１７１５４号公報、特開平７−１７９７７７号公報、特開平７−３３９９７号公報、特開平８−３９９３６号公報等に記載されている比較的大きなヒステリシス特性（ΔＨ値が８℃以上５０℃以下）を示すものや、特開２００６−１３７８８６号公報、特開２００６−１８８６６０号公報、特開２００８−４５０６２号公報、特開２００８−２８０５２３号公報等に記載されている大きなヒステリシス特性を示すものが例示できる。ヒステリシス特性が大きいとは、温度変化による着色濃度の変化をプロットした曲線の形状が、温度を変色温度域より低温側から上昇させていく場合と逆に変色温度域より高温側から下降させていく場合とで大きく異なる経路を辿って変色することを意味する。このような可逆熱変色性組成物は、完全発色温度以下の低温域での発色状態、又は完全消色温度以上の高温域での消色状態が、特定温度域で色彩記憶性を有し、これを内包する加熱消色型のマイクロカプセル顔料も適用できる。
【００１２】
尚、前記色彩記憶性を有する可逆熱変色性組成物として具体的には、完全発色温度を冷凍室、寒冷地等でしか得られない温度、即ち−５０℃以上０℃以下、好ましくは−４０℃以上−５℃以下、より好ましくは−３０℃以上−１０℃以下、且つ、完全消色温度を摩擦体による摩擦熱で得られる温度、即ち５０℃以上９５℃以下、好ましくは５０℃以上９０℃以下、より好ましくは６０℃以上８０℃以下の範囲に特定し、ΔＨ値を４０℃以上１００℃以下に特定することにより、常態（日常の生活温度域）で呈する色彩の保持に有効に機能させることができるものを挙げることができる。
【００１３】
マイクロカプセル顔料とする場合、その平均粒子径が例えば０．０５μｍ以上５.０μｍ以下、好ましくは０．１μｍ以上４．０μｍ以下、より好ましくは０．５μｍ以上３．０μｍ以下の範囲のものが筆記性能と筆跡濃度の点から好適である。更に、本発明の摩擦体を用いた消色性能をより効率的に発揮することを目的とし、マイクロカプセル顔料の平均粒子径を２.０μｍ以上とした際には、摩擦熱による化学的消色と、吸着剥離による物理的消去を利用した消色（変色）が可能となるため、不可逆的な消去や変色には高い効果を発揮する。尚、平均粒子径は、マウンテック社製の画像解析式粒度分布測定ソフトウェア「マックビュー」を用いて粒子の領域を判定し、粒子の領域の面積から投影面積円相当径（Ｈｅｙｗｏｏｄ径）を算出し、その値による等体積球相当の粒子の平均粒子径として測定した値である。
【００１４】
また、全ての粒子或いは大部分の粒子の粒子径が０．２μｍを超える場合は、粒度分布測定装置（ベックマン・コールター株式会社製、製品名：Ｍｕｌｔｉｓｉｚｅｒ  ４ｅ）を用いてコールター法により等体積球相当の粒子の平均粒子径として平均粒子径を測定することも可能である。
【００１５】
更に、着色剤成分として、筆跡に熱変色を伴わない所望の色相を付与するために、染料や一般顔料等を使用することが可能である。例えば、染料としては、酸性染料、塩基性染料、直接染料等を使用することができる。一般顔料としては、カーボンブラック、群青などの無機顔料や銅フタロシアニンブルー、ベンジジンイエロー等の有機顔料の他、予め界面活性剤等を用いて安定的に媒体中に分散された分散顔料製品等が用いられる。その他、金属粉やパール顔料等の金属光沢顔料、蛍光顔料、蓄光性顔料、二酸化チタン等の特殊顔料も適用できる。尚、これらの着色成分は前述のマイクロカプセル顔料と併用されてもよいし、前述のマイクロカプセル顔料中に内包させることもできる。
【００１６】
熱変色性インキには、その他必要に応じて、各種添加剤を添加することもできる。水性インキであれば、従来適用されるような、ｐＨ調整剤、防錆剤、防腐剤或いは防黴剤、湿潤剤、消泡剤、界面活性剤、潤滑剤、樹脂等の定着剤、剪断減粘性付与剤、ペン先乾燥防止剤、垂れ下がり防止剤等を添加することができる。また、油性インキであれば、従来適用されるような、粘性調節剤、防腐剤、防錆剤、消泡剤、潤滑剤、分散剤、カスレ防止剤、洩れ防止剤、界面活性剤等を添加することができる。
【００１７】
前記熱変色性インキの変色について図１を用いて説明する。
前記可逆熱変色性顔料を用いたインキは、消色状態からの降温により完全発色温度（ｔ１）に達すると完全に発色状態になり、発色状態からの昇温により完全消色温度（ｔ４）に達すると完全に消色状態になるものである。
具体的に、色濃度−温度曲線におけるヒステリシス特性は、図１において、縦軸に色濃度、横軸に温度が表されている。温度変化による色濃度の変化は矢印に沿って進行する。ここで、ｔ４は完全に消色した状態に達する温度（以下、完全消色温度と称す）における濃度を示す点であり、ｔ３は消色し始める温度（以下、消色開始温度と称す）における濃度を示す点であり、ｔ２は発色し始める温度（以下、発色開始温度と称す）における濃度を示す点であり、ｔ１は完全に発色した状態に達する温度（以下、完全発色温度と称す）における濃度を示す点である。
また、ｔ１〜ｔ３間の上方直線と、ｔ２〜ｔ４間の下方直線と垂直距離が変色のコントラストを示す尺度であり、ｔ１〜ｔ２間の縦線と、ｔ３〜ｔ４間の縦線との中央値間の距離がヒステリシスの程度を示す温度幅（以下、ヒステリシス幅ΔＨと記す）であり、このΔＨ値が大きい程、変色前後の各状態の保持が容易である。
ここで、ｔ４とｔ３の差、或いは、ｔ２とｔ１の差（Δｔ）が変色の鋭敏性を示す尺度である。
尚、本発明における熱変色性インキ組成物の消色温度とは、基本的には完全消色温度ｔ４であるが、ｔ３とｔ４の差が大きい場合には、目視において筆跡が視認できなくなる温度を言う。
【００１８】
本発明では、二種類以上の筆記体が用いられ、筆記体のうち少なくとも二種類に加熱により消色状態となる前述の熱変色性インキ組成物が内蔵され、各熱変色性インキ組成物の消色温度が異なるもので構成される。特に、各熱変色性インキ組成物の消色温度が、消色温度差５℃以上である〔即ち、各熱変色性インキ組成物の消色温度をＴＡ、ＴＢ（ＴＡ＜ＴＢ）とした場合、ＴＢ−ＴＡ≧５℃である〕ことが好ましい。この場合、各インキで重ね書きをした後、重ね書き箇所を加熱することで、一度にすべての筆跡が消色することなく、一方が消色して他方の筆跡が残るため、筆記体毎に筆跡を消色することが可能となる。そのため、幅広い使用用途に対応可能な利便性に優れた筆記具が構成できる。
【００１９】
前記熱変色性インキを内蔵する筆記体を用いた複式筆記具の形態としては、レフィルを二本以上収容して所望のレフィルを選択的に出没できる出没式形態、相異なる形態のペン先を軸筒両端部に装着させたり、相異なる色相のインキを導出させるペン先を軸筒両端部に装着させる両頭式形態、出没式筆記具の後方に筆記体を組み合わせた出没両頭式形態等のいずれであってもよい。
前記出没式形態としては、ノック式、回転式、スライド式、更にはこれらを組み合わせたもの等の出没機構を有し、軸筒内に収容される筆記体のペン先を操作によって出し入れ可能な形態が適用できる。また、両頭式形態では、ペン先（チップ）を覆うキャップを備えた形態が好適である。
【００２０】
前記筆記体としては、マーキングペン、ボールペン、万年筆等が挙げられ、必要に応じて、繰り出し式固形筆記具等を用いることもできる。
前記マーキングペンとしては、例えば、繊維チップ、フェルトチップ、プラスチックチップ、金属チップ等のマーキングペン用ペン先を筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させて筆記先端部に所定量のインキを供給する構造、軸筒内部に直接インキを収容し、弁機構により筆記先端部に所定量のインキを供給する構造のマーキングペン等が挙げられる。
【００２１】
ボールペンとしては、例えば、軸筒内にインキ組成物を充填したインキ収容管を有し、該インキ収容管はボールを先端部に装着したチップに連通しており、更にインキの端面にはインキ逆流防止体が密接する構造、チップを軸筒先端に接続し、該軸筒内にインキ組成物を直に充填すると共に、インキの端面にインキ逆流防止体が密接する構造、軸筒内部に収容した繊維束からなるインキ吸蔵体にインキを含浸させ、チップにインキを供給する構造、櫛溝状のインキ流量調節部材や繊維束からなるインキ流量調節部材を介在させてチップに所定量のインキを供給する構造のボールペン等が例示できる。
【００２２】
例えば、前記複式筆記具に、筆記体として消色温度ＴＡであるインキを内蔵したマーキングペンと、消色温度ＴＢであるインキを内蔵したボールペンを用いた場合、各筆記体による通常の筆記、消去以外に、ボールペンでノートに文字等を筆記し、その筆跡をマーキングペンでハイライトする暗記等の学習用途に適用した際には、暗記後等、ハイライト部分を消したいときに、文字は残したままハイライト部分のみを消去することが可能となる。
【００２３】
また、筆記体として消色温度ＴＡであるインキを内蔵したボールペンＡと、消色温度ＴＢであるインキを内蔵したボールペンＢを用いた場合、各筆記体による通常の筆記、消去以外に、ボールペンＡではがき等に下書きとなる宛名書きをし、その筆跡をボールペンＢでなぞり書きする下書き清書用途に適用した際には、なぞり書き後に下書き部分を消したいときに、清書は残したまま下書き部分のみを消去することが可能となる。
更に、ボールペンＡのボール径ＤＡとボールペンＢのボール径ＤＢをＤＡ＜ＤＢとすることで、細字の下書き文字と太字の清書文字で前述の用途に適用できるため、下書き用ボールペンＡのボールによる筆跡凹みや、下書きの消し残しを目立たせることなく清書文字を鮮明に残すことができる。
【００２４】
前記複式筆記具には、各筆記体に内蔵されるインキの消色温度が高温（ＴＢ）か低温（ＴＡ）かを判断するための識別手段を設けることもできる。識別手段により筆跡の消去を行うことなくインキの消色温度を確認できるようになるため、キャップを外したり、筆記体を突出させることなく容易に所望の筆記体を選択することが可能となる。
識別手段としては、図形・記号を付したり、色彩や形状を変える等の目印を設ける等、これにより目視や触接で判別できる構造であればよい。
【００２５】
前記複式筆記具には、各筆記体を用いた筆跡を擦って熱変色させる摩擦部材を用いることができる。
前記摩擦部材としては、弾性感に富み、擦過時に適度な摩擦を生じて摩擦熱を発生させることのできるエラストマー、軟質樹脂等の弾性体が好適である。
尚、消しゴムを使用して筆跡を摩擦することもできるが、摩擦時に消しカスが発生するため、消しカスが殆ど発生しない前述の摩擦部材が好適に用いられる。
前記摩擦部材の材質としては、シリコーン樹脂やＳＥＢＳ樹脂（スチレンエチレンブタジエンスチレンブロック共重合体）、ポリエステル系樹脂等が用いられる。
【００２６】
尚、前記摩擦部材は、二種類以上設けることも可能である。その場合、紙面との摩擦により、一方が筆跡変色温度であるＴＡからＴＢの範囲の摩擦熱を発し（すなわち、一方の筆跡のみ消去できる）、他方が筆跡消色温度であるＴＢ以上の摩擦熱を発する（すなわち、両方の筆跡が消去できる）ものとすることが好ましい。そうすることで、筆跡摩擦時の力加減を気にすることなく、各摩擦部材に応じて所望の変色段階を容易且つ確実に発現できるものとなる。
具体的には、摩擦体の材質（複数材料の混合等も含む）、形状等により摩擦係数や熱伝導率を調整させたり、自己崩壊性を持たせることで構成される。
【００２７】
前記摩擦部材は、前述の複式筆記具を構成する筆記具外装に一体又は別体（即ち、筆記セット形態）で設けられ、その摩擦面が筆跡（紙面）に接触可能な構造となっている。具体的な外装としては、キャップ、クリップ、頭冠、口金、軸筒、尾栓、グリップ、ノック部材（出没機構用押圧部材）等が挙げられる。更に、被覆部材を被せて保管時に汚れを防止する構造であってもよい。別体で形成する場合、弾性体単独で構成する他、硬質材料とともに構成することもできる。
【実施例】
【００２８】
＜第１の実施の形態＞
本発明の第１の実施の形態を図２に示す。
本実施の形態の複式筆記具１は、軸筒２内に複数本（具体的には二本）の筆記体３が前後方向に移動可能に収容されている。前記各々の筆記体３は、弾発体６（具体的には圧縮コイルスプリング）により、後方に付勢されている。
【００２９】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、筆記体３のペン先３１が突出可能な前端孔２１が軸方向に貫設される。前記前軸２ａ及び後軸２ｂは、合成樹脂（例えば、ポリカーボネイト等）の射出成形により得られる。
【００３０】
前記後軸２ｂの後部の側壁には、複数本（具体的には二本）の前後方向に延びる細長状の窓孔２２が、径方向に貫設される。前記二本の窓孔２２は、互いに、軸線に対して対称の位置に形成される。また、前記後軸２ｂの後端部には、軸方向に貫通し且つ径方向外方に開口する開口部２３が形成される。前記開口部２３は、後軸２ｂの後端（即ち軸筒２の後端）において窓孔２２と連通され、それにより、窓孔２２後端が後方に切り欠かれ後方に開口されている。前記開口部２３を通して、操作体４が取り付けられた状態の筆記体３を、軸筒２内に挿入可能且つ軸筒２内から取り出し可能に構成される。
【００３１】
また、前記後軸２ｂの窓孔２２の相互間の側壁内面には、前後方向に延びるリブよりなる係止壁部（図示せず）が形成され、前記係止壁部に、ペン先３１が突出した際の筆記体３の操作体４の後端が係止される。また、前記後軸２ｂの窓孔２２の相互間の側壁外面には、クリップが設けられる。
【００３２】
（蓋部）
前記後軸２ｂの後端部には、前記開口部２３を開閉自在にする蓋部５が回動自在に設けられる。前記蓋部５の一端部は、クリップ基部に、ヒンジ部により回動自在に接続される。
前記蓋部５は、略前後方向に回動自在となる。前記蓋部５の前面には、当接壁部が形成される。前記当接壁部に、ペン先没入状態の筆記体３の後端に連結された各々の操作体４の後端が当接される。尚、前記当接壁部は、蓋部５の前面に形成される構成以外にも、軸筒２（後軸２ｂ）と一体に形成されてもよい。
【００３３】
前記蓋部５の他端部の前面には、凹部または孔部よりなる係合部が設けられる。後軸２ｂの後端には、前記係合部と係合可能な突部よりなる被係合部が設けられる。前記係合部の内面には、内向突起が形成され、一方、前記被係合部の外面には、前記内向突起と乗り越え係止可能な外向突起が形成される。
【００３４】
（摩擦体）
蓋部５の後面には、取付部５１（具体的には後方に突出する凸部）が形成される。前記取付部５１が、摩擦体７の被取付部７１（具体的には凹部）に係合される（具体的には凸部が凹部に圧入される）。それにより、摩擦部７が蓋部５の後面に固定される。尚、これ以外にも、前記取付部５１が凹部であり、前記被取付部が凸部である構成でもよい。前記摩擦体７は、弾性材料（具体的にはＳＥＢＳ樹脂）からなる。前記摩擦体７は、後方に向かうに従い外径が小さくなる凸曲面状の表面を備える。尚、前記摩擦部７は、交換可能なように、蓋部５後面と着脱自在とすることもできる。
前記凸曲面状表面を用いて筆跡を擦過することで、適度な弾性によって軽い力で摩擦熱を発することができ、所望箇所を容易に熱消去できる。
【００３５】
（筆記体）
前記各々の筆記体３は、ボールペンレフィルであり、前端にボールが回転可能に抱持されたボールペンチップ（即ちペン先３１）と、該ボールペンチップを前端に備え且つ後端が開口されたインキ収容管３２とからなる。前記インキ収容管３２の内部には、熱変色性マイクロカプセル顔料を用いた水性ゲルインキである熱変色性インキと、インキの後端に配置され且つインキの消費に伴い前進する高粘度流体からなる追従体が充填される。
前記熱変色性インキは、消色温度５５℃の水色インキ（インキＡ）と、消色温度１００℃の黒色インキ（インキＢ）が用いられる。
【００３６】
前記ボールペンチップは、前端に回転可能に抱持されたボールを弾発体等により前方に付勢し、前端縁部の内面にボールを密接させる構成が採用される。また、ボールペンチップは、インキ収容管３２の前端開口部に圧入等により直接、取り付けてもよいが、本実施の形態ではペン先ホルダーを介してインキ収容管３２の前端開口部に固着される。
前記ボールとして、水色インキ（インキＡ）を内蔵する筆記体には直径０．４ｍｍ、黒色インキ（インキＢ）を内蔵する筆記体には直径０．７ｍｍのものが適用される。
【００３７】
（操作体）
前記各々の筆記体３の後端（即ちインキ収容管３２の後端開口部）には、操作体４が取り付けられる。前記各々の操作体４は、後端部に形成され且つ軸筒２の窓孔２２から外部に突出する操作部４１と、該操作部４１の反対側に設けられる後側突出部４３と、該操作部４１の反対側の後側突出部４３の前方に設けられる前側突出部４２と、前端部に形成され且つインキ収容管３２の後端開口部に嵌入される嵌入部４４と、該嵌入部４４の後方に形成される鍔部４５とを備える。また、前記鍔部４５の前面には、弾発体６の後端が係止される。
各操作体４は、合成樹脂（例えば、ポリアセタール樹脂、ＡＢＳ樹脂等）の成形体からなり、内蔵するインキ色と略同じ色に着色される。更に、本実施形態では、水色インキ（インキＡ）を内蔵する筆記体３に連接される操作体４には、操作部４１の後方を二色成形により白色の識別部４１ａとして構成することで、下書き用途に使用できる筆記体であることを外側から目視によって確認できる識別手段としている。
【００３８】
前記構成からなる複式筆記具１では、各筆記体３による通常の筆記、摩擦体７や熱源による筆跡の消去以外に、インキＡを内蔵するボールペンＡではがきや金封等に下書きをし、その筆跡をインキＢを内蔵するボールペンＢでなぞり書きをし、なぞり書き後に下書き部分を摩擦体７で摩擦消去して清書のみを残すという下書き清書用途に使用できる。
特に、ボールペンＡのボール径がボールペンＢのボール径よりも小さいため、細字の下書き文字と太字の清書文字で前述の使用ができ、下書き用ボールペンＡのボールによる筆跡凹みや、下書きの消し残しを目立たせることなく清書文字を鮮明に残すことができる。
【００３９】
＜第２の実施の形態＞
本発明の第２の実施の形態を図３に示す。
本実施の形態の複式筆記具１は、軸筒２と、軸筒２の一端に設けたボールペンチップからなる第１のペン先３１ａと、軸筒２の他端に設けた多孔質ペン体からなる第２のペン先３１ｂと、前記第１のペン先３１ａ側の軸筒２に装着可能な第１のキャップ８ａと、前記第２のペン先３１ｂ側の軸筒２に装着可能な第２のキャップ８ｂとからなる。前記軸筒２内には、第１のペン先３１ａを備えたボールペンレフィル３ａ（筆記体３）と、第２のペン先３１ｂが接続されたインキ吸蔵体３３とが収容される。前記軸筒２の一端より前記第１のペン先３１ａが突出され、前記軸筒２の他端より前記第２のペン先３１ｂが突出される。
【００４０】
前記軸筒２は、円筒状の軸筒本体２ｃと、該軸筒本体２ｃの両端に取り付けられる第１の前軸２ａ及び第２の前軸２ａ′とからなる。前記第１の前軸２ａ及び第２の前軸２ａ′は、螺合または圧入により軸筒本体２ｃと着脱自在取り付けられる。前記軸筒本体２ｃは、両端が開口され、内部に隔壁が形成される。
【００４１】
（ボールペンレフィル）
前記ボールペンレフィル３ａは、先端にボールペンチップからなる第１のペン先３１ａを備え、内部に第１の熱変色性インキ３４が収容される。前記第１の熱変色性インキ３４が前記第１のペン先３１ａより外部に吐出され、第１の熱変色性インキ３４による筆跡を得ることができる。前記第１のペン先３１ａ内には、弾発体（スプリング）が収容される。前記弾発体により、第１のペン先３１ａのボールを、前方に付勢し且つ第１のペン先３１ａの内向きのカシメ部内面（先端縁部内面）に圧接させ、非筆記時のペン先からのインキ漏出及び空気混入を防止する。
【００４２】
前記第１のペン先３１ａは、ペン先ホルダーを介してインキ収容管３２に取り付けられる。具体的には、前記ペン先ホルダーの一端に第１のペン先３１ａが固着され、前記ペン先ホルダーの他端が前記インキ収容管３２の開口部に固着される。前記ペン先ホルダーは、外周面に鍔部を備え、該鍔部が、第１の前軸２ａ内面と、軸筒本体２ｃの一端とにより挟持される。
【００４３】
（第１の熱変色性インキ）
前記インキ収容管３２内に第１の熱変色性インキ３４が収容される。前記第１の熱変色性インキ３４は、低温側変色点（完全発色温度ｔ１）が−３０℃〜−１０℃の範囲の任意の温度（本実施例では−２０℃）に設定され、高温側変色点（完全消色温度ｔ４）が５５℃〜８０℃の範囲の任意の温度（本実施例では６５℃：ＴＢ）に設定され、ヒステリシス幅ΔＨが４０℃〜１００℃（本実施例では８０℃）の範囲を示す可逆熱変色性インキ（本実施例では黒色）が採用される。
【００４４】
前記インキ収容管３２内の第１の熱変色性インキ３４の後端には、追従体３５が収容される。前記追従体３５は、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００４５】
（第１のキャップ）
前記キャップ８のうち第１のキャップ８ａは、合成樹脂の射出成形より得られる円筒状部材である。前記第１のキャップ８ａは、内部に弾性材料よりなるペン先シール部材８２を備える。前記第１のキャップ８ａを第１のペン先３１ａ側の軸筒外周面に装着した際、前記ペン先シール部材８２が、第１のペン先３１ａの先端と密接し、第１のペン先３１ａの先端を密封する。前記第１のキャップ８ａの側壁には、クリップ８１が一体または別部品の取り付けにより設けられる。本実施例では、クリップ８１が識別部４１ａとして機能することで、文字書き用途に使用できる筆記体（ボールペン）であることを外側から目視によって確認できる識別手段としている。
【００４６】
前記第１のキャップ８ａの頂部には、弾性体（本実施例ではＳＥＢＳ樹脂）からなり、紙面との摩擦により６５℃（ＴＢ）以上の摩擦熱を発する摩擦体７が取り付けられる。尚、前記摩擦体７は、第１のキャップと２色成形により一体に形成することもできる。更に、収容するインキ色に着色し、色表示機能を呈することもできる。
【００４７】
（第２のペン先）
前記第２のペン先３１ｂは、第２の前軸２ａ′を介して軸筒本体２ｃの他端に取り付けられる。具体的には、前記第２の前軸２ａ′の一端に第２のペン先３１ｂが固着され、前記第２の前軸２ａ′の他端が前記軸筒本体２ｃの他端開口部に固着される。前記第２の前軸２ａ′は、外周面に鍔部を備え、該鍔部が、軸筒本体２ｃの他端に当接される。前記第２のペン先３１ｂは、先端がチゼル状に形成される。
【００４８】
（第２の熱変色性インキ）
前記第２のインキ吸蔵体３３の内部に第２の熱変色性インキが含浸される。前記第２の熱変色性インキが前記第２のペン先３１ｂより外部に吐出され、第２の熱変色性インキによる筆跡を得ることができる。第２のインキ吸蔵体３３は、多孔質材料（繊維加工体、多孔質気泡体）からなる。
【００４９】
前記第２の熱変色性インキは、低温側変色点（完全発色温度ｔ１）が−３０℃〜−１０℃の範囲の任意の温度（本実施例では−２０℃）に設定され、高温側変色点（完全消色温度ｔ４）が４０℃〜６０℃の範囲の任意の温度（本実施例では５０℃：ＴＡ）に設定され、ヒステリシス幅ΔＨが４５℃〜８５℃の範囲（本実施例では６５℃）を示す可逆熱変色性インキ（本実施例では蛍光黄色）が採用される。
【００５０】
前記第１の熱変色性インキ３４の発色状態の色（黒色）と前記第２の熱変色性インキとの発色状態の色（蛍光黄色）が異なる構成とすることで、各筆記体による通常の筆記、消去以外に、ボールペンでノートに文字等を筆記し、その筆跡をマーキングペンでハイライトする暗記等の学習用途に適用することができ、暗記後には、ハイライト部分を消したいときに、文字は残したままハイライト部分のみを消去することが可能なものとなる。
【００５１】
（第２のキャップ）
前記第２のキャップ８ｂは、合成樹脂の射出成形より得られる円筒状部材である。前記第２のキャップ８ｂは、第２のペン先３１ｂを使用しないとき、第２のペン先３１ｂ側の軸筒２の外周面に気密嵌合され、第２のペン先３１ｂを密封する。
【００５２】
前記第２のキャップ８ｂの頂部には、弾性体（本実施例ではポリエステル系エラストマー）からなり、紙面との摩擦により５０℃（ＴＡ）から６５℃（ＴＢ）の範囲の摩擦熱を発する摩擦体７が取り付けられる。尚、前記摩擦体７は、第２のキャップと２色成形により一体に形成することもできる。更に、収容するインキ色（黄色）に着色し、インキ色表示機能を呈することもできる。
【００５３】
（キャップの連結）
第２のペン先３１ｂを使用する際、第１のキャップ８ａの頂部外周面に摩擦体７を被覆するように第２のキャップ８ｂの開口部内周面を嵌合できる。また、第１のペン先３１ａを使用する際、第２のキャップ８ｂの頂部外周面に摩擦体７を被覆するように第１のキャップ８ａの開口部内周面を嵌合できる。前記構造により、筆記時のキャップ後ろ差しが可能となる。
【００５４】
＜第３の実施の形態＞
本発明の第３の実施の形態を図４に示す。
本実施の形態の複式筆記具１は、第２の実施の形態のうち、第２のペン先を備えたマーキングペン側の構造を、インキ吸蔵体３３を用いた中詰式から液式（ポンピング式）に変更し、そのキャップ（第２のキャップ）が摩擦体を有さないものである。
【００５５】
すなわち、軸筒２内には、第１のペン先３１ａを備えたボールペンレフィル３ａ（筆記体３）と、第２のペン先３１ｂを備えたマーキングペンレフィル３ｂ（インキタンク式）とからなる。前記ボールペンレフィルの他端開口部に、前記マーキングペンレフィルの他端部が固着される。
【００５６】
（第１の熱変色性インキ）
前記ボールペンレフィル３ａのインキ収容管３２内に第１の熱変色性インキ３４が収容される。前記第１の熱変色性インキ３４は、低温側変色点（完全発色温度ｔ１）が−３０℃〜−１０℃の範囲の任意の温度（本実施例では−２０℃）に設定され、高温側変色点（完全消色温度ｔ４）が５５℃〜８０℃の範囲の任意の温度（本実施例では６５℃）に設定され、ヒステリシス幅ΔＨが４０℃〜１００℃（本実施例では８０℃）の範囲を示す可逆熱変色性インキ（本実施例では赤色）が採用される。
【００５７】
（第２のペン先）
前記第２のペン先３１ｂは、インキタンクを構成する第２の軸筒２′の開口部に、軸方向に摺動可能に取り付けられる。前記第２の軸筒２′の開口部には、第２のペン先３１ｂの軸方向内方への押圧（第２のペン先３１ｂの筆記時の筆圧）により開口する弁装置９が設けられる。前記弁装置９は、第２のペン先３１ｂを一端に有する弁体９１と、前記弁体９１が密接可能な弁座９２と、前記弁体９１を軸方向外方に付勢する弾発体９３（コイルスプリング）と、前記弁体９１、前記弁座９２、及び前記弾発体９３を収容する弁収容筒９４とからなる。更に、インキタンク内にはインキ攪拌用の金属球からなる攪拌部材９５が収容される。前記第２のペン先３１ｂは、先端がチゼル状に形成される。
【００５８】
（第２の熱変色性インキ）
前記第２の軸筒２′（インキタンク）内に第２の熱変色性インキ３４が収容される。前記第２の熱変色性インキが前記第２のペン先３１ｂより外部に吐出され、第２の熱変色性インキによる筆跡を得ることができる。
【００５９】
前記第２の熱変色性インキは、低温側変色点（完全発色温度ｔ１）が−３０℃〜−１０℃の範囲の任意の温度（本実施例では−２０℃）に設定され、高温側変色点（完全消色温度ｔ４）が４０℃〜６０℃の範囲の任意の温度（本実施例では５０℃）に設定され、ヒステリシス幅ΔＨが４５℃〜８５℃の範囲（本実施例では６５℃）を示す可逆熱変色性インキ（本実施例では蛍光緑色）が採用される。
【００６０】
前記第１の熱変色性インキの発色状態の色（赤色）と前記第２の熱変色性インキとの発色状態の色（蛍光緑色）が異なる構成とすることで、各筆記体による通常の筆記、消去以外に、ボールペンでノートに文字等を筆記し、その筆跡をマーキングペンでハイライトする暗記等の学習用途に適用することができ、暗記後には、ハイライト部分を消したいときに、文字は残したままハイライト部分のみを消去することが可能なものとなる。
【００６１】
（第２のキャップ）
前記第２のキャップ８ｂは、合成樹脂の射出成形より得られる円筒状部材である。前記第２のキャップ８ｂは、第２のペン先３１ｂを使用しないとき、第２のペン先３１ｂ側の軸筒２の外周面（具体的には第２の前軸２ａ′の外周面）に気密嵌合され、第２のペン先３１ｂを密封する。
【００６２】
（キャップの連結）
第２のペン先３１ｂを使用する際、第１のキャップ８ａの頂部外周面に摩擦体７を被覆するように第２のキャップ８ｂの開口部内周面を嵌合できる。前記構造により、マーキングペン筆記時のキャップ後ろ差しが可能となる。
【符号の説明】
【００６３】
１  複式筆記具
２，２′  軸筒
２ａ，２ａ′  前軸
２ｂ  後軸
２ｃ  軸筒本体
２１  前端孔
２２  窓孔
２３  開口部
３  筆記体
３ａ  ボールペンレフィル
３ｂ  マーキングペンレフィル
３１  ペン先
３１ａ  ボールペンチップ
３１ｂ  マーキングペンチップ
３２  インキ収容管
３３  インキ吸蔵体
３４  熱変色性インキ
３５  追従体
４  操作体
４１  操作部
４１ａ  識別部
４２  前側突出部
４３  後側突出部
４４  嵌入部
４５  鍔部
５  蓋部
５１  取付部
６  弾発体
７  摩擦体
７１  被取付部
８  キャップ（８ａ，８ｂ）
８１  クリップ（識別部）
９  弁装置
９１  弁体
９２  弁座
９３  弾発体
９４  弁収容筒
９５  攪拌部材
ｔ１  完全発色温度
ｔ２  発色開始温度
ｔ３  消色開始温度
ｔ４  完全消色温度
【図１】
2020100042.tif 000003
【図２】
2020100042.tif 000004
【図３】
2020100042.tif 000005
【図４】
2020100042.tif 000006